(57)【要約】【課題】使用者の操作性を低下させずに、電磁誘導方式の入力装置に設定される複数のモード間の変更を行う切替機能が設けられた入力タッチペンの提供を目的とする。【解決手段】軸方向の先端の開口部である先端開口が形成された軸筒と、前記軸筒の内部に収容され、前記先端開口から露出可能な接触先端を有し、電磁誘導方式の位置検出装置により送信された電磁エネルギーを反射する電磁誘導リフィルと、前記電磁誘導リフィルが反射する電磁エネルギーの周波数を変化させる発振周波数調整部材と、を備える。【選択図】図３
2019207673.tif 000002
【特許請求の範囲】
【請求項１】
軸方向の先端の開口部である先端開口が形成された軸筒と、
前記軸筒の内部に収容され、前記先端開口から露出可能な接触先端を有し、電磁誘導方式の位置検出装置により送信された電磁エネルギーを反射する電磁誘導リフィルと、
前記電磁誘導リフィルが反射する電磁エネルギーの周波数を変化させる発振周波数調整部材と、
を備える入力タッチペン。
【請求項２】
前記電磁誘導リフィルに対して前記軸方向に前記発振周波数調整部材を移動させる移動機構を備える請求項１に記載の入力タッチペン。
【請求項３】
前記電磁誘導リフィルは、少なくとも、
前記軸筒の軸心に位置するフェライトコアと、
前記フェライトコアの外周に配設される電磁誘導コイルと、
前記フェライトコアの先端に装着される前記接触先端と、
を備え、
前記移動機構は、前記軸筒における前記軸方向の後端側に前記軸方向に沿って形成された摺動溝、又は前記軸筒の後端の開口部である後端開口から露出し、ノック操作により前記電磁誘導コイルに対して近付く方向及び離れる方向に前記発振周波数調整部材を移動させるノック機構である請求項２に記載の入力タッチペン。
【請求項４】
前記電磁誘導リフィルは、少なくとも、
前記軸筒の軸心に位置するフェライトコアと、
前記フェライトコアの外周に配設される電磁誘導コイルと、
前記フェライトコアの先端に装着される前記接触先端と、
を備え、
前記移動機構は、前記電磁誘導リフィル及び前記発振周波数調整部材を支持する支持リフィルの後端に各々連結する複数の摺動コマと、前記軸筒の周方向に回動し、前記複数の摺動コマを移動させる円筒カムと、を備え、前記円筒カムが回動することにより、前記円筒カム上を移動する前記複数の摺動コマの各々の位置を変化させ、前記電磁誘導コイルに対して近付く方向及び離れる方向に前記発振周波数調整部材を移動させる繰出機構である請求項２に記載の入力タッチペン。
【請求項５】
前記円筒カムには、前記複数の摺動コマの各々の前記軸方向の先端側又は後端側への移動を可能とする一対のガイド部と、前記一対のガイド部の先端を繋ぐ頂部と、前記一対のガイド部の後端を繋ぐ底部と、を備えるカム溝が形成され、
前記頂部には、前記複数の摺動コマの各々を着脱自在に嵌合可能な複数の嵌合部が設けられている請求項４に記載の入力タッチペン。
【請求項６】
前記電磁誘導リフィルの先端部を保護する保護部材を備え、
前記発振周波数調整部材は、前記保護部材の内部に収容されている請求項１に記載の入力タッチペン。
【請求項７】
前記軸筒の後端側には、電子ペン機能を有する入力部が設けられている請求項６に記載の入力タッチペン。
【請求項８】
前記発振周波数調整部材は、単一の磁性体から構成される請求項１から請求項７の何れか１項に記載の入力タッチペン。
【発明の詳細な説明】
【技術分野】
【０００１】
本発明は、入力タッチペンに関する。
【背景技術】
【０００２】
近年、電磁誘導方式による入力が可能な電磁誘導リフィルを備えた入力タッチペンが提供されている。また、この電磁誘導リフィルは、汎用性を高めるべく、ボールペンリフィルと同形状及び同サイズとなるように細軸化（例：直径２ｍｍから３ｍｍ程度）が進んでいる。
【０００３】
ここで、電磁誘導方式の位置検出装置を搭載した入力装置（例：電磁誘導方式タブレット）には、例えば、入力タッチペンでなぞった筆跡に対応する描線が電子情報として入力される「筆記モード」や、入力タッチペンでなぞった筆跡に対応する部分の電子情報が消去される「消去モード」等の複数のモードが設けられている。また、電磁誘導リフィルには、入力装置に設定される上記のモード（筆記モード及び消去モード）の変更を行う切替機能が設けられているものがある。そして、特許文献１に記載の入力タッチペンには、入力タッチペンの軸筒に、上記の切替機能を実現するサイドスイッチが設けられている。
【先行技術文献】
【特許文献】
【０００４】
【特許文献１】ＷＯ２０１７／０４３２１４
【発明の概要】
【発明が解決しようとする課題】
【０００５】
しかし、特許文献１に記載の入力タッチペンでは、使用者が直接に把持する軸筒の先端側に、外側に突出したサイドスイッチが設けられているため、使用者が入力タッチペンを把持しづらくなり、操作性が低下するおそれがある。
【０００６】
そこで、本発明は、使用者の操作性を低下させずに、電磁誘導方式の入力装置に設定される複数のモード間の変更を行う切替機能が設けられた入力タッチペンの提供を目的とする。
【課題を解決するための手段】
【０００７】
上記課題を解決するために、本発明の実施態様は、以下のような構成を備える。
（１）第１の実施態様
本発明の第１の実施態様における入力タッチペンは、軸方向の先端の開口部である先端開口が形成された軸筒と、前記軸筒の内部に収容され、前記先端開口から露出可能な接触先端を有し、電磁誘導方式の位置検出装置により送信された電磁エネルギーを反射する電磁誘導リフィルと、前記電磁誘導リフィルが反射する電磁エネルギーの周波数を変化させる発振周波数調整部材と、を備える。
【０００８】
（２）第２の実施態様
本発明の第２の実施態様における入力タッチペンは、第１の実施態様に加え、前記電磁誘導リフィルに対して前記軸方向に前記発振周波数調整部材を移動させる移動機構を備える。
【０００９】
（３）第３の実施態様
本発明の第３の実施態様における入力タッチペンは、第２の実施態様に加え、前記電磁誘導リフィルは、少なくとも、前記軸筒の軸心に位置するフェライトコアと、前記フェライトコアの外周に配設される電磁誘導コイルと、前記フェライトコアの先端に装着される前記接触先端と、を備え、前記移動機構は、前記軸筒における前記軸方向の後端側に前記軸方向に沿って形成された摺動溝、又は前記軸筒の後端の開口部である後端開口から露出し、ノック操作により前記電磁誘導コイルに対して近付く方向及び離れる方向に前記発振周波数調整部材を移動させるノック機構である。
【００１０】
（４）第４の実施態様
本発明の第４の実施態様における入力タッチペンは、第２の実施態様に加え、前記電磁誘導リフィルは、少なくとも、前記軸筒の軸心に位置するフェライトコアと、前記フェライトコアの外周に配設される電磁誘導コイルと、前記フェライトコアの先端に装着される前記接触先端と、を備え、前記移動機構は、前記電磁誘導リフィル及び前記発振周波数調整部材を支持する支持リフィルの後端に各々連結する複数の摺動コマと、前記軸筒の周方向に回動し、前記複数の摺動コマを移動させる円筒カムと、を備え、前記円筒カムが回動することにより、前記円筒カム上を移動する前記複数の摺動コマの各々の位置を変化させ、前記電磁誘導コイルに対して近付く方向及び離れる方向に前記発振周波数調整部材を移動させる繰出機構である。
【００１１】
（５）第５の実施態様
本発明の第５の実施態様における入力タッチペンは、第４の実施態様に加え、前記円筒カムには、前記複数の摺動コマの各々の前記軸方向の先端側又は後端側への移動を可能とする一対のガイド部と、前記一対のガイド部の先端を繋ぐ頂部と、前記一対のガイド部の後端を繋ぐ底部と、を備えるカム溝が形成され、前記頂部には、前記複数の摺動コマの各々を着脱自在に嵌合可能な複数の嵌合部が設けられている。
【００１２】
（６）第６の実施態様
本発明の第６の実施態様における入力タッチペンは、第１の実施態様に加え、前記電磁誘導リフィルの先端部を保護する保護部材を備え、前記発振周波数調整部材は、前記保護部材の内部に収容されている。
【００１３】
（７）第７の実施態様
本発明の第７の実施態様における入力タッチペンは、第６の実施態様に加え、前記軸筒の後端側には、電子ペン機能を有する入力部が設けられている。
【００１４】
（８）第８の実施態様
本発明の第８の実施態様における入力タッチペンは、第１から第７の実施態様の何れか１つに加え、前記発振周波数調整部材は、単一の磁性体から構成される。
【発明の効果】
【００１５】
本発明によれば、使用者の操作性を低下させずに、電磁誘導方式の入力装置に設定される複数のモード間の変更を行う切替機能が設けられた入力タッチペンを提供することができる。
【図面の簡単な説明】
【００１６】
【図１】第１の実施形態に係る入力タッチペンの離間状態における正面図（Ａ）及び正面図のＡ−Ａ断面図（Ｂ）である。
【図２】第１の実施形態に係る入力タッチペンの接近状態における正面図（Ａ）及び正面図のＢ−Ｂ断面図（Ｂ）である。
【図３】図１（Ｂ）の拡大図（Ａ）及び図２（Ｂ）の拡大図（Ｂ）である。
【図４】第１の実施形態に係る入力タッチペンの使用状態を示す斜視図である。
【図５】第２の実施形態に係る入力タッチペンの離間状態における正面図（Ａ）、右側面図（Ｂ）、及び正面図のＣ−Ｃ断面図（Ｃ）である。
【図６】第２の実施形態に係る入力タッチペンの接近状態における正面図（Ａ）、右側面図（Ｂ）、及び正面図のＤ−Ｄ断面図（Ｃ）である。
【図７】第４の実施形態に係る入力タッチペンの離間状態における正面図（Ａ）、右側面図（Ｂ）、及び正面図のＥ−Ｅ断面図（Ｃ）である。
【図８】第４の実施形態に係る入力タッチペンの接近状態における正面図（Ａ）、右側面図（Ｂ）、及び正面図のＦ−Ｆ断面図（Ｃ）である。
【図９】第４の実施形態に係る入力タッチペンの継手及び発振周波数調整部材の斜視図である。
【図１０】第５の実施形態に係る入力タッチペンの没入状態における正面図（Ａ）、右側面図（Ｂ）、及び正面図のＧ−Ｇ断面図（Ｃ）である。
【図１１】第５の実施形態に係る入力タッチペンの突出状態における正面図（Ａ）、右側面図（Ｂ）、及び正面図のＨ−Ｈ断面図（Ｃ）である。
【図１２】第５の実施形態に係る円筒カムの斜視図（Ａ）及び正面図（Ｂ）である。
【図１３】第５の実施形態に係る入力タッチペンの没入状態における電磁誘導リフィル及び２本の筒体の位置関係を示す図（Ａ）並びに没入状態における複数の摺動コマの位置関係図（Ｂ）である。
【図１４】第５の実施形態に係る入力タッチペンの突出状態における電磁誘導リフィル及び２本の筒体の位置関係を示す図（Ａ）並びに突出状態における複数の摺動コマの位置関係図（Ｂ）である。
【図１５】第６の実施形態に係る入力タッチペンの装着状態における斜視図（Ａ）、正面図（Ｂ）、及び正面図のＩ−Ｉ断面図（Ｃ）である。
【図１６】第６の実施形態に係る入力タッチペンの開放状態における斜視図（Ａ）、正面図（Ｂ）、及び正面図のＪ−Ｊ断面図（Ｃ）である。
【図１７】第７の実施形態に係る入力タッチペンの収容状態における正面図（Ａ）、及び正面図のＫ−Ｋ断面図（Ｂ）である。
【図１８】第７の実施形態に係る入力タッチペンの露出状態における斜視図（Ａ）、正面図（Ｂ）、及び正面図のＬ−Ｌ断面図（Ｃ）である。
【発明を実施するための形態】
【００１７】
本実施の形態を図面を参照しつつ説明する。なお、以下の説明における「先端側」とは、入力タッチペン５の軸方向のうち、後述する先軸１２に向かう一方側をいい、「後端側」とは、後述する後軸１４に向かう他方側をいう。
【００１８】
＜第１の実施形態＞
（１）入力タッチペン５外観
第１の実施形態に係る入力タッチペン５は、図１（Ａ）及び図２（Ａ）に示すような外観を呈する。図１（Ａ）は、後述する発振周波数調整部材２３が後述する電磁誘導コイル４６に対して離間した離間状態を示す入力タッチペン５の正面図であり、図２（Ａ）は、後述する発振周波数調整部材２３が後述する電磁誘導コイル４６に対して接近した接近状態を示す入力タッチペン５の正面図である。
【００１９】
この入力タッチペン５は、その外部構造として、その先端と後端とにそれぞれ開口部を有する軸筒１０を備えている。この軸筒１０は、軸方向の先端側を構成し、その先端部分が先細となるテーパ形状に形成された先軸１２を、軸方向の後端側を構成する後軸１４の先端から圧入し、後軸１４よりも後端側に位置する内軸１６を、後軸１４の後端から圧入することにより構成される。そして、先軸１２の先端には、先端の開口部として後述する電磁誘導リフィル４０の接触先端４５が露出する先端開口１３が形成され、内軸１６の後端には、後端の開口部として後述するノック機構３０の操作部３２が露出する後端開口１５が形成されている。
【００２０】
（２）入力タッチペン５内部
図１（Ｂ）は、離間状態を示す入力タッチペン５の正面図のＡ−Ａ断面図であり、図２（Ｂ）は、接近状態を示す入力タッチペン５の正面図のＢ−Ｂ断面図である。
【００２１】
軸筒１０の内部には、筒体２０と、筒体２０を軸方向に移動させるノック機構３０と、筒体２０の内部に収容された電磁誘導リフィル４０と、が収容されている。ただし、電磁誘導リフィル４０の構成部材のうち、少なくとも後述する接触先端４５は軸筒１０の内部に収容されずに先端開口１３から露出しており、ノック機構３０の構成部材のうち、少なくとも後述する操作部３２は軸筒１０の内部に収容されずに後端開口１５から露出している。
【００２２】
また、後軸１４における軸方向の中央よりもやや後端側には、電磁誘導リフィル４０と、後述するスプリング１７とが接触する接触部１８が設けられている。接触部１８は、その先端から後端にかけて凹んだ凹部１８Ａを有している。さらに、接触部１８には、後述する筒体２０の幅広部２１が通過するための軸方向に沿って開口した通過孔１８Ｂが形成されている。
【００２３】
また、内軸１６における先端側には、ノック機構３０の後述する回転子３１と係止するカム部１６Ａが設けられている。
筒体２０は、全体として筒状であり、その内部は先端から後端まで貫通している。この筒体２０は、その後端側を構成する幅広部２１と、その先端側を構成し、幅広部２１よりも外径が小さい幅狭部２２と、を備えている。そして、幅広部２１の外径は電磁誘導リフィル４０の外径より大きく、幅狭部２２の外径は電磁誘導リフィル４０の外径よりやや大きくなっている。
【００２４】
筒体２０は、幅広部２１の後端側の一部が通過孔１８Ｂを通過するまで挿入された後、通過孔１８Ｂを通過した幅広部２１の後端側の一部にノック機構３０の後述する回転子３１の先端が接続されることで軸筒１０の内部に収容される。なお、筒体２０が軸筒１０の内部に収容された状態では、回転子３１の先端にスプリング１７の後端が接触し、接触部１８の後端にスプリング１７の先端が接触している。そして、ノック機構３０及び筒体２０は、スプリング１７の付勢力によって常に後端側へ付勢されている。
【００２５】
ここで、幅狭部２２の後端側の外周には、電磁誘導リフィル４０が反射する電磁エネルギーの周波数を変化させる、具体的には、電磁誘導リフィル４０内部の発振回路と電磁結合する発振周波数調整部材２３が装着されている。この発振周波数調整部材２３は、少なくともコイルとコンデンサとで構成されている。そして、発振周波数調整部材２３の発振周波数は電磁誘導リフィル４０内部の発振回路と等しくなるように調整されている。
【００２６】
発振周波数調整部材２３は、電磁誘導リフィル４０と同じタイミングで位置検出装置から受け取った電磁エネルギーを反射する。接近状態においては発振周波数調整部材２３が反射する磁束が電磁誘導リフィル４０の後述する電磁誘導コイル４６を貫くことで、電磁誘導リフィル４０の後述する電磁誘導コイル４６の鎖交磁束が変化し、電磁誘導リフィル４０の発振周波数が変化する。
【００２７】
第１の実施形態における発振周波数調整部材２３は筒状のフェライトにコイルを配設した構造となっている。また、発振周波数調整部材２３を構成するコイルの巻き始め及び巻き終わりは、コンデンサを搭載した基板（図示せず）に接続されている。そして、発振周波数調整部材２３は、筒体２０が軸筒１０の内部に収容された状態では、先軸１２の内部に位置している。なお、フェライトとは、鉄を含む酸化物磁性体をいう。
【００２８】
ノック機構３０は、内軸１６の内部に配置され、軸方向に移動可能な回転子３１と、内軸１６の後端、すなわち、後端開口１５から露出し、軸方向に移動可能な操作部３２と、を備えている。このノック機構３０は、電磁誘導リフィル４０に対して軸方向に発振周波数調整部材２３を移動させるものであり、具体的には、ノック操作により電磁誘導コイル４６に対して近付く方向（先端側）及び離れる方向（後端側）に発振周波数調整部材２３を移動させるものである。そして、ノック操作は、操作部３２を先端側に向かって押圧することによって行われる。
【００２９】
そして、離間状態（図１参照）においてノック操作が行われると、操作部３２の移動によって回転子３１が先端側へ押圧され、回転子３１と内軸１６のカム部１６Ａの先端面とが係止し、入力タッチペン５は接近状態（図２参照）となる。また、接近状態（図２参照）においてノック操作が行われると、操作部３２の移動によって回転子３１が先端側へ押圧され、回転子３１と内軸１６のカム部１６Ａの先端面との係止が解除される。これにより、ノック機構３０及び筒体２０は、スプリング１７の付勢力によって後端側へ移動し、入力タッチペン５は離間状態（図１参照）となる。
【００３０】
電磁誘導リフィル４０は、電磁誘導方式の位置検出装置により送信された電磁エネルギーを反射するものであって、例えば、以下の構成を有する。なお、第１の実施形態では、電磁誘導リフィル４０の直径を３．２ｍｍで形成している。そして、電磁誘導リフィル４０は、その先端と後端とにそれぞれ開口部を有する収容筒４１を備えており、この収容筒４１の内部に種々の部材が収容され、また、収容筒４１に種々の部材が装着されている。
【００３１】
収容筒４１の先端側には、合成樹脂製の先端継手４４が装着されている。この先端継手４４には、略管状のコアホルダー４２が内蔵されている。このコアホルダー４２には、棒状のフェライトコア４３が挿通されている。このフェライトコア４３の先端には、合成樹脂製の接触先端４５が装着されている。さらに、フェライトコア４３の周囲には、コアホルダー４２を挟んで電磁誘導コイル４６が配設されている。
【００３２】
収容筒４１の内部空間におけるフェライトコア４３よりも後端側には、電磁誘導コイル４６と電気的に接続された感圧センサ４７とコンデンサ４８とが収容されている。感圧センサ４７は筆圧に応じて静電容量が増加する可変のコンデンサで、コンデンサ４８と電磁誘導コイル４６とともに、発振回路を構成する。また、収容筒４１の後端には、合成樹脂製の後端継手４９が装着されている。
【００３３】
後端継手４９の後端には、接触部１８の凹部１８Ａに挿入するための挿入部５０が装着されている。この挿入部５０の外径は、凹部１８Ａの幅（径方向の長さ）よりもやや狭く形成されている。そのため、挿入部５０を凹部１８Ａに圧入することで、挿入部５０と接触部１８、すなわち、挿入部５０と後軸１４とが接続される。これにより、電磁誘導リフィル４０が後軸１４に固定され、電磁誘導リフィル４０が軸筒１０の内部に収容される。そして、電磁誘導リフィル４０が軸筒１０の内部に収容された状態では、接触先端４５が先端開口１３から露出している。
【００３４】
また、挿入部５０の周囲には、収容筒４１を先端側に付勢するリターンスプリング５１が装着されている。このリターンスプリング５１は、接触先端４５が押圧されることに伴い収容筒４１が後端側へ移動する際に圧縮される。なお、電磁誘導リフィル４０は後軸１４に対し挿入部５０で着脱可能に固定されているため、接触先端４５が摩耗したり、内蔵する電子機器類が故障したりした際には、容易に新品と交換することができる。
【００３５】
（３）作用
次に、第１の実施形態の作用、具体的には、電磁誘導リフィル４０により図４に示す入力装置１００（例：電磁誘導方式タブレット）に情報が入力される流れについて説明する。なお、入力装置１００は、電磁誘導リフィル４０による入力が行われる入力面１０２が設けられており、その入力面１０２の下面には、特定の周波数の電磁エネルギーを送信する位置検出装置が設けられている。
【００３６】
また、第１の実施形態における入力装置１００には、入力タッチペン５でなぞった筆跡に対応する描線が電子情報として入力される「筆記モード」と、入力タッチペン５でなぞった筆跡に対応する部分の電子情報が消去される「消去モード」とが設けられている。この入力装置１００は、入力タッチペン５から帰還する電磁エネルギーの周波数に基づいて上記の各モードの切替を行っており、所定の周波数の範囲である第１範囲では「筆記モード」に設定され、第１範囲よりも周波数が小さい第２範囲では「消去モード」に設定されるよう予め構成されている。
【００３７】
さらに、入力装置１００が有する位置検出装置には、電磁誘導リフィル４０に電磁エネルギーを送信するためのコイルが複数設けられている。一方、電磁誘導リフィル４０には、送信信号の周波数に応じた共振周波数を有する発振回路（図示せず）が設けられている。この位置検出装置のコイルと電磁誘導リフィル４０の発振回路（図示せず）の電磁誘導作用により電磁誘導リフィル４０は電磁エネルギーを蓄えることができる。
【００３８】
そして、電磁誘導リフィル４０は、発振回路（図示せず）に蓄えた電磁エネルギーを位置検出装置に帰還させる。位置検出装置は、この電磁誘導リフィル４０からの電磁エネルギーを検出する。具体的には、位置検出装置は、送信信号を供給したコイルの位置と、電磁誘導リフィル４０の発振回路（図示せず）からの電磁エネルギーを検出したコイルの位置とにより、電磁誘導リフィル４０が指示する座標値を検出する。
【００３９】
また、電磁誘導リフィル４０の接触先端４５が押圧されると、感圧センサ４７が押圧されて静電容量が増加する。これにより共振周波数がわずかに低くなる。そして、位置検出装置が電磁誘導リフィル４０の共振周波数の変化を検出することで、電磁誘導リフィル４０の接触を検出する。これにより文字等を描くことができる。
【００４０】
ここで、離間状態（図３（Ａ）参照）では、発振周波数調整部材２３が電磁誘導コイル４６に対して十分離間しているため、電磁誘導リフィル４０内部の発振回路との電磁結合の度合いが十分小さくなっている。したがって、離間状態では、電磁誘導リフィル４０の発振周波数は変化せず、入力装置１００では、第１範囲内であると判断し、筆記モードを設定している。そのため、離間状態において、入力装置１００の入力面１０２を接触先端４５でなぞると、その入力装置１００に文字、例えば、図４（Ａ）に示すようなアルファベットの「Ｐ」を描くことができる。
【００４１】
離間状態においてノック操作が行われると、操作部３２の移動によって回転子３１が先端側へ押圧され、回転子３１と内軸１６のカム部１６Ａの先端面とが係止し、入力タッチペン５は接近状態となる。
【００４２】
そして、接近状態（図３（Ｂ）参照）では、発振周波数調整部材２３が電磁誘導コイル４６に対して接近しており、入力タッチペン５が発する電磁エネルギーの周波数は離間状態（図３（Ａ）参照）に比べて低くなっている。これにより、入力装置１００では、第２範囲内であると判断し、消去モードを設定している。そのため、接近状態において、上記で記載されたアルファベットの「Ｐ」の一部を接触先端４５でなぞると、なぞられた部分に対応するアルファベットの「Ｐ」の部分の電子情報が消去され、入力装置１００の入力面１０２からなぞられた部分が消失する（図４（Ｂ）参照）。
【００４３】
＜第２の実施形態＞
次に、本実施の形態の第２の実施形態について、第１の実施形態との重複部分を省略しつつ説明する。
【００４４】
（１）入力タッチペン５外観
第２の実施形態に係る入力タッチペン５は、図５（Ａ）及び（Ｂ）並びに図６（Ａ）及び（Ｂ）に示すような外観を呈する。図５（Ａ）は、離間状態を示す入力タッチペン５の正面図であり、図５（Ｂ）は、離間状態を示す入力タッチペン５の右側面図であり、図６（Ａ）は、接近状態を示す入力タッチペン５の正面図であり、図６（Ｂ）は、接近状態を示す入力タッチペン５の右側面図である。
【００４５】
この入力タッチペン５は、その外部構造として、その先端と後端とにそれぞれ開口部を有する軸筒１０を備えている。この軸筒１０は、先軸１２と後軸１４とが互いに螺合されて形成される。そして、先軸１２の先端には、電磁誘導リフィル４０の接触先端４５が露出する先端開口１３が形成され、後軸１４の後端には、キャップ部材６０が露出する後端開口１５が形成されている。このキャップ部材６０は、中空ドーム状に形成されており、ガイド筒６２の後端に設けられている（図５（Ｃ）及び図６（Ｃ）参照）。
【００４６】
後軸１４の後端側の表面には、軸方向に沿った長孔である摺動溝１４Ａが合計２本形成されている。摺動溝１４Ａからは、ノック機構３０の構成部材であって、筒体２０の後端に装着される計２本のノック棒３３のノック突起３４が露出している。また、後軸１４の後端側には、電磁誘導リフィル４０の後端に装着される棒部材６４と一体に形成されたクリップ６６が露出可能な長さに開口された露出孔１４Ｂが形成されている。
【００４７】
そして、筒体２０に装着されたノック棒３３は、対応する摺動溝１４Ａに沿って軸方向に移動可能とされている。具体的には、使用者によるノック操作に基づいて、そのノック棒３３が対応する摺動溝１４Ａに沿って軸方向に移動され、これにより、離間状態と接近状態との切替が可能となっている。つまり、第２の実施形態では、ノック棒３３を対応する摺動溝１４Ａに沿って軸方向に移動させることで、発振周波数調整部材２３を電磁誘導コイル４６に対して近付く方向（先端側）及び離れる方向（後端側）に移動させている。一方、電磁誘導リフィル４０に装着された棒部材６４は、定位置に固定されており、軸方向に移動できない、すなわち、ノック操作ができない構造となっている。
【００４８】
（２）入力タッチペン５内部
図５（Ｃ）は、離間状態を示す入力タッチペン５の正面図のＣ−Ｃ断面図であり、図６（Ｃ）は、接近状態を示す入力タッチペン５の正面図のＤ−Ｄ断面図である。
【００４９】
軸筒１０の内部には、電磁誘導リフィル４０と２本の筒体２０とが収容されている。なお、図５（Ｃ）及び図６（Ｃ）においては正面側に位置し断面にて表示されている電磁誘導リフィル４０と、その左側面側に位置する筒体２０とが表示されているが、図示されていない右側面側に位置する筒体２０も存在する。
【００５０】
また、軸筒１０の内部における軸方向の中央よりもやや後方には、電磁誘導リフィル４０と２本の筒体２０とを支持するための支持筒６８が装着されている。この支持筒６８は、短円筒形状に形成されるとともに、電磁誘導リフィル４０と２本の筒体２０とが挿通される支持孔６１が形成されている。なお、支持筒６８は、軸筒１０の内部における軸方向の中央よりもやや後方の内周面から内方に突出した支持突条６３によって軸筒１０の内部に支持されている。
【００５１】
筒体２０に装着されたノック棒３３は、上記のノック突起３４に加え、ノック棒３３の先端部分である接続突起３５と、接続突起３５よりも後端側の部分であって、後述するノックスプリング３７の後端を支持するスプリング支持端３６と、を備えている。
【００５２】
電磁誘導リフィル４０に装着された棒部材６４は、上記のクリップ６６に加え、棒部材６４の先端部分である接続部６５と、接続部６５よりも後端側の部分であって、後述するノックスプリング６９の後端を支持するスプリング支持端６７と、を備えている。
【００５３】
筒体２０は、筒状の胴部２４と、胴部２４の先端に装着される継手２５と、継手２５の先端側の周囲に装着される発振周波数調整部材２３と、を備えている。
ここで、筒体２０のうち、胴部２４の後端には、ノック棒３３の接続突起３５が圧入され、胴部２４とノック棒３３とが接続されている（図５（Ｃ）及び図６（Ｃ）参照）。これにより、筒体２０とノック棒３３とが固定され、筒体２０が軸筒１０の内部に収容される。
【００５４】
また、胴部２４の後端側の周囲には、ノック棒３３を後端側に付勢するノックスプリング３７が装着されている（図５（Ｃ）及び図６（Ｃ）参照）。このノックスプリング３７は、その先端が支持筒６８の後端縁に支持され、その後端がノック棒３３のスプリング支持端３６に支持されることで、ノック棒３３を常に後端側へ付勢している。
【００５５】
さらに、接続部６５の周囲には、棒部材６４を後端側に付勢するノックスプリング６９が装着されている（図５（Ｃ）及び図６（Ｃ）参照）。このノックスプリング６９は、その先端が支持筒６８の後端縁に支持され、その後端が棒部材６４のスプリング支持端６７に支持されることで、棒部材６４を常に後端側へ付勢している。
【００５６】
（３）作用
第２の実施形態でも、第１の実施形態と同様に、離間状態において、入力装置１００の入力面１０２を接触先端４５でなぞると、その入力装置１００に文字、例えば、図４（Ａ）に示すようなアルファベットの「Ｐ」を描くことができる。
【００５７】
ここで、離間状態（図５（Ｃ）参照）では、ノックスプリング３７がノック棒３３を後端側へ付勢しており、発振周波数調整部材２３が電磁誘導コイル４６に対して離間している。そして、離間状態において、使用者によるノック操作が行われると、ノック棒３３により筒体２０が先端側に押圧される。このノック操作により、ノックスプリング３７が支持筒６８の後端縁とノック棒３３のスプリング支持端３６との間で圧縮され、発振周波数調整部材２３が電磁誘導コイル４６に対して接近し、接近状態（図６（Ｃ）参照）へと変移する。
なお、第２の実施形態では、接近状態（図６（Ｃ）参照）における発振周波数調整部材２３の先端から接触先端４５の先端までの距離Ｌが１８ｍｍとなっている。
【００５８】
そして、第２の実施形態でも、第１の実施形態と同様に、接近状態において、上記で記載されたアルファベットの「Ｐ」の一部を接触先端４５でなぞると、なぞられた部分に対応するアルファベットの「Ｐ」の部分の電子情報が消去され、入力装置１００の入力面１０２からなぞられた部分が消失する（図４（Ｂ）参照）。
【００５９】
＜第１の実施形態と第２の実施形態との相違点＞
以上説明したように、発振周波数調整部材２３は、第１の実施形態のように、電磁誘導リフィル４０の外周を幅狭部２２を介して覆うように配置してもよいし、第２の実施形態のように、電磁誘導リフィル４０の側面の一部のみに近接可能に配置してもよい。そして、第１の実施形態と第２の実施形態とでは、共に同様の効果を奏することができる。
また、第１の実施形態における利点としては、電磁誘導リフィル４０と発振周波数調整部材２３との位置関係を精密に制御しやすい点があり、第２の実施形態における利点としては、発振周波数調整部材２３の外径を小さく形成できる点がある。
【００６０】
＜第３の実施形態＞
次に、本実施の形態の第３の実施形態について、第１、又は第２の実施形態との重複部分を省略しつつ説明する。
第１の実施形態及び第２の実施形態における発振周波数調整部材２３は何れも、少なくともコイルとコンデンサとを含む発振回路で構成されていた。そして、第１の実施形態及び第２の実施形態における発振周波数調整部材２３は、電磁誘導リフィル４０と同じタイミングで位置検出装置から受け取った電磁エネルギーを反射することで電磁誘導リフィル４０の発振周波数を変化させていた。
【００６１】
しかし、第３の実施形態における発振周波数調整部材２３は、単一の磁性体、具体的には、フェライトのみで構成されており、発振回路ではない点で第１の実施形態及び第２の実施形態と異なる。
そして、第３の実施形態における発振周波数調整部材２３は、電磁誘導リフィル４０の発振回路を構成するインダクタの漏れ磁束を低減させることで実効透磁率を増加させる効果を有している。具体的には、第３の実施形態では、発振周波数調整部材２３により実効透磁率を増加させることで電磁誘導リフィル４０の発振回路のインダクタンスが増加し、その結果として電磁誘導リフィル４０の発振周波数が低下することとなっている。
【００６２】
上記の効果により第３の実施形態でも、第１の実施形態及び第２の実施形態と同様に、離間状態において、入力装置１００の入力面１０２を接触先端４５でなぞると、その入力装置１００に文字、例えば、図４（Ａ）に示すようなアルファベットの「Ｐ」を描くことができる。
そして、第３の実施形態でも、第１の実施形態及び第２の実施形態と同様に、接近状態において、上記で記載されたアルファベットの「Ｐ」の一部を接触先端４５でなぞると、なぞられた部分に対応するアルファベットの「Ｐ」の部分の電子情報が消去され、入力装置１００の入力面１０２からなぞられた部分が消失する（図４（Ｂ）参照）。
【００６３】
＜第１の実施形態及び第２の実施形態と、第３の実施形態との相違点＞
以上説明したように、発振周波数調整部材２３は発振回路で構成されてもよく、電磁誘導リフィル４０の漏れ磁束を低減させる磁性体（フェライト）のみで構成されてもよい。
【００６４】
＜第４の実施形態＞
次に、本実施の形態の第４の実施形態について、第１、第２又は第３の実施形態との重複部分を省略しつつ説明する。
第４の実施形態の構造は、基本的に第２の実施形態と同様だが、発振周波数調整部材２３及び継手２５の構造が第２の実施形態と異なる。また、第４の実施形態は、電磁誘導リフィル４０と１本の筒体２０とが軸筒１０の内部に収容されている点で、電磁誘導リフィル４０と２本の筒体２０とが軸筒１０の内部に収容されている第２の実施形態と異なる。
【００６５】
（１）入力タッチペン５外観
第４の実施形態に係る入力タッチペン５は、図７（Ａ）及び（Ｂ）並びに図８（Ａ）及び（Ｂ）に示すような外観を呈する。図７（Ａ）は、離間状態を示す入力タッチペン５の正面図であり、図７（Ｂ）は、離間状態を示す入力タッチペン５の右側面図であり、図８（Ａ）は、接近状態を示す入力タッチペン５の正面図であり、図８（Ｂ）は、接近状態を示す入力タッチペン５の右側面図である。
【００６６】
（２）入力タッチペン５内部
図７（Ｃ）は、離間状態を示す入力タッチペン５の正面図のＥ−Ｅ断面図であり、図８（Ｃ）は、接近状態を示す入力タッチペン５の正面図のＦ−Ｆ断面図である。
【００６７】
第４の実施形態における筒体２０は、第２の実施形態と同様に、筒状の胴部２４と、胴部２４の先端に装着される継手２５と、継手２５に装着される発振周波数調整部材２３と、を備えている。
【００６８】
図９（Ａ）及び（Ｂ）は、第４の実施形態に係る入力タッチペン５の継手２５及び発振周波数調整部材２３の斜視図である。
第４の実施形態における継手２５は、継手胴部２５Ａと、継手胴部２５Ａの先端から延びる延出部２５Ｂと、継手胴部２５Ａの後端から延びる圧入部２５Ｃと、を備えている。また、継手２５は、全体として略筒状であり、その先端から後端までを貫通する貫通孔２５Ｄが形成されている。そして、この貫通孔２５Ｄには電磁誘導リフィル４０が挿通されている（図７（Ｃ）及び図８（Ｃ）参照）。
【００６９】
延出部２５Ｂは、継手２５において、発振周波数調整部材２３の一部が装着される部分である。
圧入部２５Ｃは、継手２５において、胴部２４内に圧入される部分である。つまり、圧入部２５Ｃを胴部２４の先端から胴部２４内に圧入することで、継手２５が胴部２４の先端に装着される。
【００７０】
発振周波数調整部材２３は、延出部２５Ｂの周囲に装着された筒状のフェライトと、このフェライトに配設されたコイルとからなるコイル部２３Ａと、このコイル部２３Ａのコイルの巻き始め及び巻き終わりに接続されたチップコンデンサ２３Ｂと、を備えている。なお、コイル部２３Ａのコイルの巻き始め及び巻き終わりと、チップコンデンサ２３Ｂとは、継手胴部２５Ａの外周面に配置されている。そして、第４の実施形態における発振周波数調整部材２３は、コイル部２３Ａとチップコンデンサ２３Ｂとで閉回路を形成している。
【００７１】
（３）作用
第４の実施形態でも、第１、第２及び第３の実施形態と同様に、離間状態において、入力装置１００の入力面１０２を接触先端４５でなぞると、その入力装置１００に文字、例えば、図４（Ａ）に示すようなアルファベットの「Ｐ」を描くことができる。
【００７２】
そして、第４の実施形態でも、第１、第２及び第３の実施形態と同様に、接近状態において、上記で記載されたアルファベットの「Ｐ」の一部を接触先端４５でなぞると、なぞられた部分に対応するアルファベットの「Ｐ」の部分の電子情報が消去され、入力装置１００の入力面１０２からなぞられた部分が消失する（図４（Ｂ）参照）。なお、第４の実施形態でも、第２の実施形態と同様に、接近状態（図８（Ｃ）参照）における発振周波数調整部材２３の先端から接触先端４５の先端までの距離Ｌが１８ｍｍとなっている。
【００７３】
第４の実施形態は、以上のように構成されているため、電磁誘導リフィル４０と発振周波数調整部材２３との位置関係を精密に制御しやすくなり、離間状態と接近状態との間における磁束変化を安定させることができる。なお、第４の実施形態では、発振周波数調整部材２３と継手２５とを一体とした構造で形成してもよい。
【００７４】
＜まとめ＞
本実施の形態では、電磁誘導リフィル４０が反射する電磁エネルギーの周波数を変化させる発振周波数調整部材２３と、電磁誘導リフィル４０に対して軸方向に発振周波数調整部材２３を移動させるノック機構３０と、を備えている。
第１の実施形態においては、ノック機構３０は、後端開口１５から露出した操作部３２を先端側に向かって押圧するノック操作が行われることにより、電磁誘導コイル４６に対して近付く方向（先端側）及び離れる方向（後端側）に発振周波数調整部材２３を移動させる。一方、第２の実施形態においては、ノック機構３０は、摺動溝１４Ａから露出したノック棒３３のノック突起３４を対応する摺動溝１４Ａに沿って軸方向に移動させるノック操作が行われることにより、電磁誘導コイル４６に対して近付く方向（先端側）及び離れる方向（後端側）に発振周波数調整部材２３を移動させる。なお、第３の実施形態においては、第１又は第２の実施形態と同様の方法で電磁誘導コイル４６に対して近付く方向（先端側）及び離れる方向（後端側）に発振周波数調整部材２３を移動させ、第４の実施形態においては、第２の実施形態と同様の方法で電磁誘導コイル４６に対して近付く方向（先端側）及び離れる方向（後端側）に発振周波数調整部材２３を移動させる。
【００７５】
そして、上記のように、離間状態と接近状態とでは、入力タッチペン５が入力装置１００に対して発する電磁エネルギーの周波数が異なっており、それらの各状態における周波数に基づいて、入力装置１００により筆記モード又は消去モードの各モードが設定される。
【００７６】
また、本実施の形態では、入力タッチペン５の使用時に使用者が把持しない軸筒１０の後端側にノック機構３０が設けられている。つまり、本実施の形態は、一般的にリフィルの出没で用いられるノック機構３０を用いて、発振周波数調整部材２３の電磁誘導コイル４６に対して近付く方向（先端側）及び離れる方向（後端側）への移動を実現している。
【００７７】
そのため、本実施の形態によれば、使用者の操作性を低下させずに、電磁誘導方式の入力装置１００に設定される複数のモード間の変更を行う切替機能が設けられた入力タッチペン５を提供することができる。
【００７８】
＜その他＞
第１、第２又は第４の実施形態では、発振周波数調整部材２３を筒状のフェライトにコイルを配設した構成としたが、これに限らず、例えば樹脂にコイルを配設して発振周波数調整部材２３を構成してもよい。
【００７９】
本実施の形態では、筒体２０が発振周波数調整部材２３を備えることとしたが、これに限らず、電磁誘導リフィル４０が発振周波数調整部材２３を備える構成としてもよい。例えば、電磁誘導リフィル４０の収容筒４１の表面にコイルを配設し、収容筒４１の内部に筒状のフェライトを収容して、ノック機構３０のノック操作に基づいて、筒状のフェライトがコイルに対して近付く方向（先端側）及び離れる方向（後端側）に移動可能な発振周波数調整部材２３を構成してもよい。また、前記と逆の構成として、電磁誘導リフィル４０の収容筒４１の表面に筒状のフェライトを装着し、収容筒４１の内部にコイルを収容して、ノック機構３０のノック操作に基づいて、コイルが筒状のフェライトに対して近付く方向（先端側）及び離れる方向（後端側）に移動可能な発振周波数調整部材２３を構成してもよい。
【００８０】
本実施の形態では、入力装置１００のモードとして、筆記モード及び消去モードを設けたが、入力装置１００に設定可能なモードはこれには限られない。例えば、入力装置１００のモードとして、入力装置１００に黒色の描線が表示される「モノクロモード」や、入力装置１００に赤色や青色等の描線が表示される「カラーモード」等を、上記の筆記モード及び消去モードに代えて又は加えて設けてもよい。
【００８１】
第２、及び第３の実施形態における発振周波数調整部材２３を以下のように構成してもよい。
１つ目は、２本の筒体２０が備える発振周波数調整部材２３を構成する、筒状のフェライトの長さや厚さを異ならせたり、コイルの巻数を異ならせたりすることで、各々の発振周波数調整部材２３が電磁誘導リフィル４０の電磁誘導コイル４６に鎖交する磁束の強さを異ならせてもよい。これにより、入力タッチペン５の変化後の発振周波数に基づいて入力装置１００に設定可能なモード数を増やすことができる。
２つ目は、２本の筒体２０が備える発振周波数調整部材２３が電磁誘導リフィル４０の電磁誘導コイル４６に鎖交する磁束の強さを同様としてもよい。これにより、一方の発振周波数調整部材２３が故障した場合でも、他方の発振周波数調整部材２３を用いて、同様のモードを入力装置１００に設定することができる。
【００８２】
＜第５の実施形態＞
次に、本実施の形態の第５の実施形態について、第１、第２、第３又は第４の実施形態との重複部分を省略しつつ説明する。
【００８３】
（１）入力タッチペン５外観
第５の実施形態に係る入力タッチペン５は、図１０（Ａ）及び（Ｂ）並びに図１１（Ａ）及び（Ｂ）に示すような外観を呈する。図１０（Ａ）は、電磁誘導リフィル４０の先端部が軸筒１０内に収容されている没入状態を示す入力タッチペン５の正面図であり、図１０（Ｂ）は、没入状態を示す入力タッチペン５の右側面図であり、図１１（Ａ）は、電磁誘導リフィル４０の先端部が軸筒１０から突出している突出状態を示す入力タッチペン５の正面図であり、図１１（Ｂ）は、突出状態を示す入力タッチペン５の右側面図である。
【００８４】
この入力タッチペン５は、その外部構造として、先軸１２と後軸１４とを有する軸筒１０を備えている。また、入力タッチペン５は、先軸１２の後端と当接するリング部材１１と、後軸１４の後端と当接する係止部材７０と、係止部材７０により係止される機能部材８０と、後軸１４の後端側に取り付けられるクリップ６６と、を備えている。なお、係止部材７０及び機能部材８０の詳細については後述する。
【００８５】
先軸１２は、筒形状の先軸胴部１２Ａと、先軸胴部１２Ａの先端から先端側にかけて外径が縮径された先軸テーパ部１２Ｂと、を備えている。また、先軸テーパ部１２Ｂの先端には、電磁誘導リフィル４０の接触先端４５が露出する先端開口１３が形成されている。
後軸１４は、筒形状の後軸胴部１４Ｃと、後軸胴部１４Ｃの後端から後端側にかけて外径が縮径された後軸テーパ部１４Ｄと、を備えている。また、後軸テーパ部１４Ｄの後端には、後述する中継筒９０が収容される後端開口１５（図１０（Ｃ）及び図１１（Ｃ）参照）が形成されている。
【００８６】
クリップ６６は、後軸１４と係止部材７０との間に支持されている。このクリップ６６の先端側には、後軸胴部１４Ｃに向けて突出する挟持部６６Ａが設けられ、この挟持部６６Ａと後軸胴部１４Ｃの外周面との間で衣服のポケット等を挟持することで入力タッチペン５を支持することができる。
【００８７】
（２）入力タッチペン５内部
図１０（Ｃ）は、没入状態を示す入力タッチペン５の正面図のＧ−Ｇ断面図であり、図１１（Ｃ）は、突出状態を示す入力タッチペン５の正面図のＨ−Ｈ断面図である。
【００８８】
軸筒１０の内部には、電磁誘導リフィル４０と、２本の筒体２０と、電磁誘導リフィル４０及び２本の筒体２０を軸方向に移動させる繰出機構１１０と、繰出機構１１０の後端部に螺合される中継筒９０と、が収容されている。
【００８９】
なお、図１０（Ｃ）においては、２本の筒体２０が表示されているが、図示されていない手前側に位置する電磁誘導リフィル４０も存在し、図１１（Ｃ）においては、電磁誘導リフィル４０と、その左側面側に位置する筒体２０とが表示されているが、図示されていない右側面側に位置する筒体２０も存在する。さらに、図１０（Ｃ）及び図１１（Ｃ）においては、電磁誘導リフィル４０の詳細構造を図示していないが、第５の実施形態における電磁誘導リフィル４０は、第１の実施形態で説明した構成を有している。
【００９０】
図１０（Ｃ）及び図１１（Ｃ）に示すように、先軸胴部１２Ａの後端部の内周面には、先軸雌ネジ１２Ｃが形成されている。また、２本の筒体２０は、筒状の胴部２４を各々備えている。そして、支持リフィルとしての２本の筒体２０の一方（以下、「第１筒体２０Ａ」とする）の胴部２４の先端側には、発振周波数調整部材２３が設けられている。これに対し、２本の筒体２０の他方（以下、「第２筒体２０Ｂ」とする）には、発振周波数調整部材２３が設けられておらず、第５の実施形態において備える発振周波数調整部材２３は１つとされている。
【００９１】
繰出機構１１０は、先軸雌ネジ１２Ｃと螺合することにより先軸１２に固定されるガイド筒１２０と、ガイド筒１２０の後端側に形成されたガイド溝１２２に収まる複数（３つ）の摺動コマ１３０と、後軸胴部１４Ｃに内接し、軸筒１０の周方向に回動して複数の摺動コマ１３０を移動させる円筒カム１４０と、を備えている。
ガイド筒１２０の先端部は、後軸１４に収容された状態において、後軸胴部１４Ｃから突出する。そして、ガイド筒１２０の先端部の外周面には、先軸雌ネジ１２Ｃと螺合するガイド筒雄ネジ１２１が形成されている。また、ガイド筒１２０の後端からは、先端側に向かって軸方向に延びる複数のガイド溝１２２が形成されている。
【００９２】
摺動コマ１３０は、ガイド筒１２０と円筒カム１４０との間に支持され、ガイド溝１２２を軸方向に摺動自在な摺動部１３１と、摺動部１３１の先端から先端側に突出し、電磁誘導リフィル４０及び２本の筒体２０の各々の後端に装着される装着部１３２と、摺動部１３１の表面に形成され、軸筒１０側に向けて突出した突起部１３３と、を備えている。
摺動部１３１の先端面には、コイルスプリングであるリターンバネ１９の後端が係止されている。なお、リターンバネ１９の先端は、ガイド筒１２０に係止されている。そのため、リターンバネ１９は、摺動コマ１３０とガイド筒１２０との間で圧縮可能となっている。
【００９３】
図１２（Ａ）は、円筒カム１４０を示す斜視図であり、図１２（Ｂ）は、円筒カム１４０を示す正面図である。円筒カム１４０は、繰出機構１１０においてガイド筒１２０の外周面を覆うように装着されている（図１０（Ｃ）及び図１１（Ｃ）参照）。
図１２（Ａ）及び（Ｂ）に示すように、円筒カム１４０は、円筒形状の円筒部１４１を備え、この円筒部１４１の先端面から後端側の外周面に向かって切断されたカム溝１４２が設けられている。この円筒部１４１の後端側の内周面には、中継筒９０の後述する中継筒雄ネジ９３と螺合する円筒カム雌ネジ１４３（図１０（Ｃ）及び図１１（Ｃ）参照）が形成されている。
【００９４】
カム溝１４２は、複数の摺動コマ１３０の各々の軸方向の先端側又は後端側への移動を可能とする一対のガイド部１４４と、一対のガイド部１４４の先端を繋ぐ頂部１４５と、一対のガイド部１４４の後端を繋ぐ底部１４７と、を備えている。
一対のガイド部１４４は、円筒部１４１の先端面と円筒部１４１の外周面とを曲線で繋いだ曲面であり、先端から後端に向かって一対のガイド部１４４の径方向の距離が短くなっている。
【００９５】
頂部１４５は、円筒部１４１の先端面の一部であって、円弧状を呈している。頂部１４５の円弧の長さは、２つの摺動コマ１３０の突起部１３３を同時に留置可能な長さとなっており、円弧の両端部には、２つの摺動コマ１３０の各々を着脱自在に嵌合可能な２つの嵌合部１４６が設けられている。この嵌合部１４６は、円筒部１４１の先端面が後端側に凹んだ溝である。そして、この嵌合部１４６に摺動コマ１３０の突起部１３３が嵌合することで、その摺動コマ１３０が装着された電磁誘導リフィル４０や２本の筒体２０が先端側に移動した状態が維持される。
底部１４７は、一対のガイド部１４４の後端を繋ぐ部分であって、１つの摺動コマ１３０を留置可能となっている。
【００９６】
図１０（Ｃ）及び図１１（Ｃ）に示すように、中継筒９０は、先端が閉じた筒形状を呈する中継筒胴部９１と、中継筒胴部９１の先端から先端側に突出し、ガイド筒１２０と連結する連結部９２と、中継筒胴部９１の先端側の外周面に形成され、円筒カム雌ネジ１４３と螺合する中継筒雄ネジ９３と、中継筒胴部９１の後端側の内周面に形成され、後述するホルダー雄ネジ１５４と螺合する中継筒雌ネジ９４と、を備えている。
また、中継筒雌ネジ９４を介して、機能部材８０が載置されるホルダー１５０が中継筒９０に装着される。
【００９７】
ホルダー１５０は、筒形状のホルダー先端部１５１と、ホルダー先端部１５１の後端から径方向外側に突出したホルダーフランジ１５２と、ホルダーフランジ１５２の後端から後端側に延び、ホルダーフランジ１５２より外径の小さいホルダー後端部１５３と、を備えている。
ホルダー先端部１５１の外周面には、中継筒雌ネジ９４と螺合するホルダー雄ネジ１５４が形成されている。ホルダーフランジ１５２の外周面には、後述する係止部材雌ネジ７３と螺合するホルダー雄ネジ１５５が形成されている。
【００９８】
係止部材７０は、筒形状の本体部７１と、本体部７１の後端側の内周面が径方向内側に突出して形成された段差であり、機能部材８０と係合する内方段部７２と、本体部７１の先端側の内周面に形成され、ホルダー雄ネジ１５５と螺合する係止部材雌ネジ７３と、を備えている。
【００９９】
入力部としての機能部材８０は、電子ペン機能を有しており、具体的には、静電容量式による入力に用いられるものである。
機能部材８０は、弾性を有する合成樹脂（ゴム、エラストマー）で形成されている。この合成樹脂としては、例えば、シリコン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等があげられ、摩擦時に屑が殆ど生じない低摩耗性の弾性材料で構成される。
【０１００】
さらに、機能部材８０は、金属、導電性樹脂、又は導電性繊維等の導電性材料を上記の合成樹脂に混ぜ込んだ導電性ゴムとすることで、入力装置１００へ接触させた際の入力面１０２の傷付きを抑制することができる。この導電性ゴムは、市販の導電性ゴム材料を成形することで製造することができる。この市販の導電性ゴム材料としては、信越化学工業（株）製のＥＣシリーズ・シリコーンゴム、ライオン（株）製のレオパウンドシリーズ、ＪＦＥテクノリサーチ（株）製のサステックシリーズ等が例示できる。
【０１０１】
また、機能部材８０は、略半球状を呈する半球部８１と、半球部８１の先端を周方向に覆う円盤状の円盤部８２と、を備えている。そして、機能部材８０は、円盤部８２をホルダーフランジ１５２上に載置し、円盤部８２をホルダーフランジ１５２と内方段部７２とで挟持した状態で、係止部材雌ネジ７３とホルダー雄ネジ１５５とを螺合することにより固定される。
【０１０２】
（３）作用
次に、図１３及び図１４を用いて、没入状態から突出状態へ変化する際における、電磁誘導リフィル４０及び２本の筒体２０の位置関係と、複数の摺動コマ１３０の位置関係とについて説明する。
【０１０３】
図１３（Ａ）は、没入状態における電磁誘導リフィル４０及び２本の筒体２０の位置関係を示している。また、図１３（Ｂ）は、没入状態における複数の摺動コマ１３０の位置関係を示している。なお、図１３（Ｂ）は、円筒形状の円筒カム１４０の一部を平面図に展開した状態を示しており、図中の六角形の部材は、複数の摺動コマ１３０を示している。そして、図中の六角形の部材のうち、斜線が引かれたものが第１筒体２０Ａに装着された摺動コマ１３０（以下、「第１摺動コマ１３０Ａ」とする）を示し、白塗りのものが第２筒体２０Ｂに装着された摺動コマ１３０（以下、「第２摺動コマ１３０Ｂ」とする）を示し、黒塗りのものが電磁誘導リフィル４０に装着された摺動コマ１３０（以下、「第３摺動コマ１３０Ｃ」とする）を示している。
【０１０４】
図１３（Ａ）に示すように、没入状態においては、ガイド筒１２０からの電磁誘導リフィル４０及び２本の筒体２０の突出長さは、略同程度となっており、電磁誘導リフィル４０及び２本の筒体２０の全てが軸筒１０に収容されている（図１０（Ｃ）参照）。この没入状態においては、図１３（Ｂ）に示すように、第１摺動コマ１３０Ａ及び第２摺動コマ１３０Ｂが頂部１４５に位置し、第３摺動コマ１３０Ｃが底部１４７に位置している。
つまり、電磁誘導リフィル４０の全長は、２本の筒体２０の全長よりも長く形成されているため、第３摺動コマ１３０Ｃが底部１４７に位置していても、図１３（Ａ）に示す位置関係となる。
【０１０５】
そして、没入状態において、後軸１４を先軸１２に対し一方向に捻って周方向に回動させると、第３摺動コマ１３０Ｃがガイド部１４４（図中左側）に沿って先端側に摺動を開始する。
一方、頂部１４５の嵌合部１４６（図中右側）に嵌合していた第２摺動コマ１３０Ｂは、頂部１４５から外れ、第３摺動コマ１３０Ｃが摺動するガイド部１４４とは反対側のガイド部１４４（図中右側）に沿って後端側に摺動を開始する。
さらに、頂部１４５の嵌合部１４６（図中左側）に嵌合していた第１摺動コマ１３０Ａは、頂部１４５の反対側に向かって頂部１４５上で摺動を開始する。
【０１０６】
そして、第３摺動コマ１３０Ｃがガイド部１４４（図中左側）に沿って先端側に摺動して頂部１４５に達すると、図１４（Ｂ）に示すように、頂部１４５の嵌合部１４６（図中左側）に嵌合する。
一方、第３摺動コマ１３０Ｃが頂部１４５に達すると同時に、ガイド部１４４（図中右側）に沿って後端側に摺動していた第２摺動コマ１３０Ｂが底部１４７に達し、底部１４７に嵌合する。
さらに、第３摺動コマ１３０Ｃが頂部１４５に達すると同時に、頂部１４５の反対側に向かって頂部１４５上を摺動していた第１摺動コマ１３０Ａが、第３摺動コマ１３０Ｃが嵌合する嵌合部１４６とは反対側の嵌合部１４６（図中右側）に嵌合する。
【０１０７】
すると、図１０（Ａ）〜（Ｃ）に示す没入状態から、図１１（Ａ）〜（Ｃ）に示す突出状態へ変化する。
図１４（Ａ）は、突出状態における電磁誘導リフィル４０及び２本の筒体２０の位置関係を示している。また、図１４（Ｂ）は、突出状態における複数の摺動コマ１３０の位置関係を示している。
【０１０８】
図１４（Ａ）に示すように、突出状態における電磁誘導リフィル４０及び２本の筒体２０の位置関係は、図１３（Ａ）に示す没入状態と比べて、電磁誘導リフィル４０が先端側に位置し、第２筒体２０Ｂが後端側に位置している。
また、突出状態においては、図１４（Ｂ）に示すように、第１摺動コマ１３０Ａ及び第３摺動コマ１３０Ｃが頂部１４５に位置し、第２摺動コマ１３０Ｂが底部１４７に位置している。
【０１０９】
つまり、突出状態においては、没入状態において底部１４７に位置していた第３摺動コマ１３０Ｃが頂部１４５に位置し、没入状態において頂部１４５に位置していた第２摺動コマ１３０Ｂが底部１４７に位置している。
これにより、突出状態では、接触先端４５が先端開口１３から露出する位置まで電磁誘導リフィル４０が先端側に移動し、その状態が維持されている（図１１（Ａ）〜（Ｃ）参照）。
【０１１０】
なお、図示しないが、上記と同様の要領で、後軸１４を先軸１２に対し一方向に捻って周方向に回動させると、突出状態において、第２摺動コマ１３０Ｂ及び第３摺動コマ１３０Ｃが頂部１４５に位置し、第１摺動コマ１３０Ａが底部１４７に位置する状態がある。
つまり、突出状態には、第１摺動コマ１３０Ａ及び第３摺動コマ１３０Ｃが頂部１４５に位置し、第２摺動コマ１３０Ｂが底部１４７に位置する状態と、第２摺動コマ１３０Ｂ及び第３摺動コマ１３０Ｃが頂部１４５に位置し、第１摺動コマ１３０Ａが底部１４７に位置する状態と、がある。
【０１１１】
そして、突出状態において、第１摺動コマ１３０Ａ及び第３摺動コマ１３０Ｃが頂部１４５に位置し、第２摺動コマ１３０Ｂが底部１４７に位置する状態が「接近状態」となり、第２摺動コマ１３０Ｂ及び第３摺動コマ１３０Ｃが頂部１４５に位置し、第１摺動コマ１３０Ａが底部１４７に位置する状態が「離間状態」となっている。
【０１１２】
（４）効果
第５の実施形態においては、繰出機構１１０は、ガイド筒１２０と、電磁誘導リフィル４０及び２本の筒体２０の後端に各々連結する複数の摺動コマ１３０と、円筒カム１４０と、を備えている。そして、繰出機構１１０は、後軸１４を先軸１２に対し一方向に捻って円筒カム１４０を周方向に回動させることにより、円筒カム１４０上を移動する複数の摺動コマ１３０の各々の位置を変化させ、電磁誘導コイル４６に対して近付く方向（先端側）及び離れる方向（後端側）に発振周波数調整部材２３を移動させるものである。また、上記のように、第５の実施形態では、後軸１４を先軸１２に対し一方向に捻って周方向に回動させることで、突出状態において、離間状態と接近状態とを切り替えることができる。
【０１１３】
そして、上記のように、離間状態と接近状態とでは、入力タッチペン５が入力装置１００に対して発する電磁エネルギーの周波数が異なっており、それらの各状態における周波数に基づいて、入力装置１００により筆記モード又は消去モードの各モードが設定される。つまり、第５の実施形態でも、第１、第２、第３及び第４の実施形態と同様に、離間状態において、入力装置１００の入力面１０２を接触先端４５でなぞると、その入力装置１００に文字、例えば、図４（Ａ）に示すようなアルファベットの「Ｐ」を描くことができる。
【０１１４】
さらに、第５の実施形態でも、第１、第２、第３及び第４の実施形態と同様に、接近状態において、上記で記載されたアルファベットの「Ｐ」の一部を接触先端４５でなぞると、なぞられた部分に対応するアルファベットの「Ｐ」の部分の電子情報が消去され、入力装置１００の入力面１０２からなぞられた部分が消失する（図４（Ｂ）参照）。
【０１１５】
また、第５の実施形態では、後軸１４を先軸１２に対し一方向に捻って周方向に回動させる繰出機構１１０を用いているため、使用者が把持する部分に筆記モード又は消去モードの各モードを切り替える機構を備える場合に比べて、軸径を細くすることができる。そのため、第５の実施形態によれば、使用者の操作性を低下させずに、電磁誘導方式の入力装置１００に設定される複数のモード間の変更を行う切替機能が設けられた入力タッチペン５を提供することができる。
【０１１６】
（５）その他
第５の実施形態では、第１筒体２０Ａに発振周波数調整部材２３を設け、第２筒体２０Ｂに発振周波数調整部材２３を設けないこととしたが、これに限らず、第１筒体２０Ａ及び第２筒体２０Ｂの双方に発振周波数調整部材２３を設けてもよい。この場合には、２つの発振周波数調整部材２３を構成する、筒状のフェライトの長さや厚さを異ならせたり、コイルの巻数を異ならせたりすることで、各々の発振周波数調整部材２３が電磁誘導リフィル４０の電磁誘導コイル４６に鎖交する磁束の強さを異ならせることが望ましい。これにより、変化後の電磁誘導リフィル４０の発振周波数に基づいて入力装置１００に設定可能なモードを異ならせることができる。
【０１１７】
＜第６の実施形態＞
次に、本実施の形態の第６の実施形態について、第１、第２、第３、第４又は第５の実施形態との重複部分を省略しつつ説明する。
【０１１８】
（１）入力タッチペン５外観
第６の実施形態に係る入力タッチペン５は、図１５（Ａ）及び（Ｂ）並びに図１６（Ａ）及び（Ｂ）に示すような外観を呈する。図１５（Ａ）は、電磁誘導リフィル４０の先端部を保護する保護部材１６０により電磁誘導リフィル４０の先端部が保護（被覆）されている保護状態を示す入力タッチペン５の斜視図であり、図１５（Ｂ）は、保護状態を示す入力タッチペン５の正面図であり、図１６（Ａ）は、電磁誘導リフィル４０の先端部が開放された開放状態を示す入力タッチペン５の斜視図であり、図１６（Ｂ）は、開放状態を示す入力タッチペン５の正面図である。
【０１１９】
この入力タッチペン５は、その外部構造として、軸心が軸方向に沿って貫通した開口部を有する軸筒１０を備えている。この軸筒１０は、先軸１２に後軸１４を圧入することにより構成される。また、入力タッチペン５は、その外部構造として、先軸１２の先端から露出する電磁誘導リフィル４０の先端部を保護する保護部材１６０を備えている。
【０１２０】
先軸１２は、筒形状の先軸胴部１２Ａと、先軸胴部１２Ａの先端から先端側にかけて外径が縮径された先軸テーパ部１２Ｂと、を備えている（図１５（Ｃ）及び図１６（Ｃ）参照）。
後軸１４は、先軸胴部１２Ａに圧入される筒形状の後軸前部１４Ｅと、後軸前部１４Ｅの後端から後端側に延びる後軸後部１４Ｆと、を備えている（図１５（Ｃ）及び図１６（Ｃ）参照）。
【０１２１】
保護部材１６０は、先軸１２の先端から露出する電磁誘導リフィル４０の先端部を保護するキャップである。この保護部材１６０は、先軸胴部１２Ａの外径よりやや広い内径を有する筒形状の保護部材胴部１６１と、保護部材胴部１６１の先端から先端側にかけて、先軸テーパ部１２Ｂの形状に合わせて内径が縮径したテーパ形状の保護部材テーパ部１６２と、を備えている。
【０１２２】
（２）入力タッチペン５内部
図１５（Ｃ）は、保護状態を示す入力タッチペン５の正面図のＩ−Ｉ断面図であり、図１６（Ｃ）は、開放状態を示す入力タッチペン５の正面図のＪ−Ｊ断面図である。
【０１２３】
図１５（Ｃ）及び図１６（Ｃ）に示すように、先軸胴部１２Ａは、中空構造とされており、その内径が後軸前部１４Ｅの外径よりもやや広くなっている。先軸テーパ部１２Ｂの軸心は、軸方向に沿って貫通している。これにより、先軸テーパ部１２Ｂには、先軸貫通孔１２Ｄが形成されている。この先軸貫通孔１２Ｄの内径は、電磁誘導リフィル４０の外径よりもやや広くなっている。
【０１２４】
また、後軸１４の軸心は、軸方向に沿って貫通している。これにより、後軸１４には、後軸貫通孔１４Ｇが形成されている。この後軸貫通孔１４Ｇの内径は、電磁誘導リフィル４０の外径よりもやや広くなっている。ただし、後軸後部１４Ｆの先端部における後軸貫通孔１４Ｇの内径は、電磁誘導リフィル４０の外径よりもやや狭くなっている。そして、この後軸貫通孔１４Ｇの径差により、後軸後部１４Ｆの先端部の内周面には、接触段部１４Ｈが形成されている。
また、後軸後部１４Ｆの後端部では、後軸貫通孔１４Ｇの内径が拡径している。そして、この後軸貫通孔１４Ｇの径差により、後軸後部１４Ｆの後端部の内周面には、収容段部１４Ｉが形成されている。
【０１２５】
そして、第６の実施形態では、軸筒１０の内部に２本の電磁誘導リフィル４０が収容されている。なお、以下では、先軸１２側に収容された電磁誘導リフィル４０を「第１電磁誘導リフィル４０Ａ」と称し、後軸１４側に収容された電磁誘導リフィル４０を「第２電磁誘導リフィル４０Ｂ」と称する。また、図１５（Ｃ）及び図１６（Ｃ）においては、電磁誘導リフィル４０の詳細構造を図示していないが、第６の実施形態における電磁誘導リフィル４０は、第１の実施形態で説明した構成を有している。
【０１２６】
第１電磁誘導リフィル４０Ａは、その後端が接触段部１４Ｈに接触するまで先軸貫通孔１２Ｄから先軸１２の内部に挿入される。第１電磁誘導リフィル４０Ａの後端が接触段部１４Ｈに接触した状態では、先軸貫通孔１２Ｄの先端から第１電磁誘導リフィル４０Ａの接触先端４５が露出している。
【０１２７】
第２電磁誘導リフィル４０Ｂは、その後端が接触段部１４Ｈに接触するまで後軸貫通孔１４Ｇから後軸１４の内部に挿入される。第２電磁誘導リフィル４０Ｂの後端が接触段部１４Ｈに接触した状態では、第２電磁誘導リフィル４０Ｂの接触先端４５が後軸後部１４Ｆの内部に収容されている。
【０１２８】
また、第６の実施形態における入力タッチペン５は、第１電磁誘導リフィル４０Ａ及び第２電磁誘導リフィル４０Ｂの各々に対応する２つの発振周波数調整部材２３を備えている。なお、以下では、第１電磁誘導リフィル４０Ａに対応する発振周波数調整部材２３を「第１発振周波数調整部材２３Ｃ」と称し、第２電磁誘導リフィル４０Ｂに対応する発振周波数調整部材２３を「第２発振周波数調整部材２３Ｄ」と称する。
【０１２９】
第１発振周波数調整部材２３Ｃは、筒状のフェライトにコイルを配設したものであり、保護部材テーパ部１６２の内部に収容されている。そして、第１発振周波数調整部材２３Ｃは、保護状態の場合に第１電磁誘導リフィル４０Ａが反射する電磁エネルギーの周波数を変化させ、開放状態の場合に第１電磁誘導リフィル４０Ａが反射する電磁エネルギーの周波数を変化させないこととされている。つまり、第６の実施形態では、保護状態の場合が「接近状態」となり、開放状態の場合が「離間状態」となる。
【０１３０】
第２発振周波数調整部材２３Ｄは、筒状のフェライトにコイルを配設したものであり、収容段部１４Ｉに収容されている。第２発振周波数調整部材２３Ｄは、第２電磁誘導リフィル４０Ｂが反射する電磁エネルギーの周波数を常に変化させている。なお、第２電磁誘導リフィル４０Ｂ及び第２発振周波数調整部材２３Ｄは、本発明における入力部の一例である。
【０１３１】
そして、第６の実施形態では、保護状態において保護部材テーパ部１６２の先端で入力装置１００の入力面１０２をなぞった場合と、開放状態において第１電磁誘導リフィル４０Ａの接触先端４５で入力装置１００の入力面１０２をなぞった場合とで、第１電磁誘導リフィル４０Ａにより入力装置１００に対して指示を行うことができる。また、第６の実施形態では、後軸後部１４Ｆの後端で入力装置１００の入力面１０２をなぞった場合に、第２電磁誘導リフィル４０Ｂにより入力装置１００に対して指示を行うことができる。
【０１３２】
さらに、第６の実施形態では、保護状態及び開放状態にかかわらず、第１電磁誘導リフィル４０Ａが発する電磁エネルギーの周波数と、第２電磁誘導リフィル４０Ｂが発する電磁エネルギーの周波数とは、異なるように構成されている。具体的には、２つの発振周波数調整部材２３を構成する、筒状のフェライトの長さや厚さを異ならせたり、コイルの巻数を異ならせたりすることで、各々の発振周波数調整部材２３が電磁誘導リフィル４０の電磁誘導コイル４６に鎖交する磁束の強さを異ならせている。
【０１３３】
（３）効果
第６の実施形態においては、保護状態において保護部材テーパ部１６２の先端で入力装置１００の入力面１０２をなぞった場合と、開放状態において第１電磁誘導リフィル４０Ａの接触先端４５で入力装置１００の入力面１０２をなぞった場合とで、第１電磁誘導リフィル４０Ａが発する電磁エネルギーの周波数を変化させることができる。具体的には、保護状態においては、第１発振周波数調整部材２３Ｃが反射する磁束が第１電磁誘導リフィル４０Ａの電磁誘導コイル４６を貫くことで、第１電磁誘導リフィル４０Ａの電磁誘導コイル４６の鎖交磁束を変化させ、第１電磁誘導リフィル４０Ａの発振周波数を変化させている。
【０１３４】
そのため、第６の実施形態でも、第１、第２、第３、第４及び第５の実施形態と同様に、開放状態において、入力装置１００の入力面１０２を接触先端４５でなぞると、その入力装置１００に文字、例えば、図４（Ａ）に示すようなアルファベットの「Ｐ」を描くことができる。
【０１３５】
さらに、第６の実施形態でも、第１、第２、第３、第４及び第５の実施形態と同様に、保護状態において、上記で記載されたアルファベットの「Ｐ」の一部を保護部材テーパ部１６２の先端でなぞると、なぞられた部分に対応するアルファベットの「Ｐ」の部分の電子情報が消去され、入力装置１００の入力面１０２からなぞられた部分が消失する（図４（Ｂ）参照）。
【０１３６】
また、第６の実施形態においては、軸筒１０の先端側に第１電磁誘導リフィル４０Ａを備え、軸筒１０の後端側に第２電磁誘導リフィル４０Ｂを備えている。そして、第６の実施形態では、第１電磁誘導リフィル４０Ａが発する電磁エネルギーの周波数と、第２電磁誘導リフィル４０Ｂが発する電磁エネルギーの周波数とは異なっている。
そのため、上記の第１電磁誘導リフィル４０Ａにおける保護状態と開放状態との場合を踏まえると、第６の実施形態において入力装置１００に設定可能なモード数は、最大で３つとなる。
【０１３７】
そして、第６の実施形態における各モードの切り替えは、保護部材１６０を着脱することや、軸筒１０を回転させて入力装置１００に入力を行う電磁誘導リフィル４０を切り替えることにより行われる。そのため、第６の実施形態によれば、使用者の操作性を低下させずに、電磁誘導方式の入力装置１００に設定される複数のモード間の変更を行う切替機能が設けられた入力タッチペン５を提供することができる。
【０１３８】
（４）その他
第６の実施形態における第１発振周波数調整部材２３Ｃは、バネ状に形成してバネの機能を有してもよい。
【０１３９】
＜第７の実施形態＞
次に、本実施の形態の第７の実施形態について、第１、第２、第３、第４、第５又は第６の実施形態との重複部分を省略しつつ説明する。
【０１４０】
（１）入力タッチペン５外観
第７の実施形態に係る入力タッチペン５は、図１７（Ａ）並びに図１８（Ａ）及び（Ｂ）に示すような外観を呈する。図１７（Ａ）は、電磁誘導リフィル４０が軸筒１０の内部に収容されている収容状態を示す入力タッチペン５の正面図であり、図１８（Ａ）は、電磁誘導リフィル４０の全体が軸筒１０から露出した露出状態を示す入力タッチペン５の斜視図であり、図１８（Ｂ）は、露出状態を示す入力タッチペン５の正面図である。
【０１４１】
この入力タッチペン５は、その外部構造として、軸方向の両端が貫通した開口部を有する軸筒１０と、軸筒１０の開口部の先端側を塞ぐ保護部材１６０と、軸筒１０の開口部の後端側を塞ぐ尾栓１７０と、を備えている。
【０１４２】
（２）入力タッチペン５内部
図１７（Ｂ）は、収容状態を示す入力タッチペン５の正面図のＫ−Ｋ断面図であり、図１８（Ｃ）は、露出状態を示す入力タッチペン５の正面図のＬ−Ｌ断面図である。なお、図１７（Ｂ）及び図１８（Ｃ）においては、電磁誘導リフィル４０の詳細構造を図示していないが、第７の実施形態における電磁誘導リフィル４０は、第１の実施形態で説明した構成を有している。
【０１４３】
図１７（Ｂ）及び図１８（Ｃ）に示すように、軸筒１０は、中空構造とされており、その内径は、尾栓１７０の圧入部分の外径、及び、電磁誘導リフィル４０の外径よりもやや広い。
そして、軸筒１０の後端からは、尾栓１７０が圧入され、軸筒１０の後端が閉鎖される。
【０１４４】
軸筒１０の先端からは、電磁誘導リフィル４０の後端が尾栓１７０に接触するまで電磁誘導リフィル４０が挿入される。電磁誘導リフィル４０の後端が尾栓１７０に接触した状態では、電磁誘導リフィル４０が軸筒１０の内部に収容されている。
なお、電磁誘導リフィル４０が軸筒１０の内部に収容された状態において、電磁誘導リフィル４０が先端側に引っ張られることで、電磁誘導リフィル４０を軸筒１０の内部から取り出すことができる。
【０１４５】
保護部材１６０は、筒形状の内筒１６３と、内筒１６３の外側において同心状に配置された筒形状の外筒１６４と、これら内筒１６３及び外筒１６４を互いに連結するリブ１６５と、を備えている。また、保護部材１６０における内筒１６３と外筒１６４との間には通気孔１６６が形成されている。
また、内筒１６３の後端部は、外筒１６４から後端側に突出しており、軸筒１０の開口部の先端側を塞ぐ塞部１６７となっている。この塞部１６７の外径は、軸筒１０の内径よりもやや狭い。そして、この塞部１６７を軸筒１０の先端から圧入することで、軸筒１０の先端が閉鎖される。
【０１４６】
さらに、塞部１６７には、軸方向に沿って開口した受容孔１６８が形成されている。この受容孔１６８には、筒状のフェライトにコイルを配設した発振周波数調整部材２３が収容されている。発振周波数調整部材２３の内径は、電磁誘導リフィル４０の接触先端４５の外径よりもやや広い。そして、接触先端４５に発振周波数調整部材２３を挿入することで、電磁誘導リフィル４０が保護部材１６０により保持される。
【０１４７】
電磁誘導リフィル４０は、保護部材１６０に対して着脱可能とされている。
具体的には、図１７（Ａ）及び（Ｂ）に示す収容状態において、外筒１６４を摘んで保護部材１６０を軸筒１０から取り外すと、保護部材１６０に保持されている電磁誘導リフィル４０が先端側に引っ張られ、軸筒１０の内部から取り出される。これにより、図１７（Ａ）及び（Ｂ）に示す収容状態から図１８（Ａ）、（Ｂ）及び（Ｃ）に示す露出状態へと変化する。そして、図示しないが、露出状態において、電磁誘導リフィル４０に対して保護部材１６０を先端側に引っ張ることで、電磁誘導リフィル４０から保護部材１６０が取り外される。
【０１４８】
ここで、第７の実施形態では、収容状態において保護部材１６０の先端で入力装置１００の入力面１０２をなぞった場合と、露出状態において電磁誘導リフィル４０から保護部材１６０を取り外して、電磁誘導リフィル４０の接触先端４５で入力装置１００の入力面１０２をなぞった場合とで、入力装置１００に対して指示を行うことができる。
【０１４９】
そして、第７の実施形態における発振周波数調整部材２３は、収容状態の場合に電磁誘導リフィル４０が反射する電磁エネルギーの周波数を変化させ、露出状態において電磁誘導リフィル４０から保護部材１６０を取り外された場合に電磁誘導リフィル４０が反射する電磁エネルギーの周波数を変化させないこととされている。
【０１５０】
具体的には、収容状態においては、発振周波数調整部材２３が反射する磁束が電磁誘導リフィル４０の電磁誘導コイル４６を貫くことで、電磁誘導リフィル４０の電磁誘導コイル４６の鎖交磁束を変化させ、電磁誘導リフィル４０の発振周波数を変化させている。つまり、第７の実施形態では、収容状態や、露出状態において電磁誘導リフィル４０に保護部材１６０が装着されている場合が「接近状態」となり、露出状態において電磁誘導リフィル４０から保護部材１６０を取り外した場合が「離間状態」となる。
【０１５１】
（３）効果
第７の実施形態においては、収容状態において保護部材１６０の先端で入力装置１００の入力面１０２をなぞった場合と、露出状態において電磁誘導リフィル４０から保護部材１６０を取り外して電磁誘導リフィル４０の接触先端４５で入力装置１００の入力面１０２をなぞった場合とで、電磁誘導リフィル４０が発する電磁エネルギーの周波数を変化させることができる。
【０１５２】
そのため、第７の実施形態でも、第１、第２、第３、第４、第５及び第６の実施形態と同様に、露出状態において電磁誘導リフィル４０から保護部材１６０を取り外した状態において、入力装置１００の入力面１０２を接触先端４５でなぞると、その入力装置１００に文字、例えば、図４（Ａ）に示すようなアルファベットの「Ｐ」を描くことができる。
【０１５３】
さらに、第７の実施形態でも、第１、第２、第３、第４、第５及び第６の実施形態と同様に、収容状態において、上記で記載されたアルファベットの「Ｐ」の一部を保護部材１６０の先端でなぞると、なぞられた部分に対応するアルファベットの「Ｐ」の部分の電子情報が消去され、入力装置１００の入力面１０２からなぞられた部分が消失する（図４（Ｂ）参照）。
【０１５４】
そして、第７の実施形態における各モードの切り替えは、保護部材１６０を着脱することにより行われる。そのため、第７の実施形態によれば、使用者の操作性を低下させずに、電磁誘導方式の入力装置１００に設定される複数のモード間の変更を行う切替機能が設けられた入力タッチペン５を提供することができる。
【０１５５】
（４）その他
第７の実施形態は、入力タッチペン５を例に説明したが、これに限らず、電磁誘導リフィル４０を収容する収容容器に対応する実施形態とすることもできる。すなわち、第７の実施形態における入力タッチペン５は、電磁誘導リフィル４０を収容する収容容器と言い換えることもできる。
【符号の説明】
【０１５６】
５  入力タッチペン
１０  軸筒                                  １１  リング部材
１２  先軸
１２Ａ  先軸胴部                            １２Ｂ  先軸テーパ部
１２Ｃ  先軸雌ネジ                          １２Ｄ  先軸貫通孔
１３  先端開口                              １４  後軸
１４Ａ  摺動溝                              １４Ｂ  露出孔
１４Ｃ  後軸胴部                            １４Ｄ  後軸テーパ部
１４Ｅ  後軸前部                            １４Ｆ  後軸後部
１４Ｇ  後軸貫通孔                          １４Ｈ  接触段部
１４Ｉ  収容段部
１５  後端開口                              １６  内軸
１６Ａ  カム部                              １７  スプリング
１８  接触部                                １８Ａ  凹部
１８Ｂ  通過孔                              １９  リターンバネ
２０  筒体                                ２０Ａ  第１筒体
２０Ｂ  第２筒体                            ２１  幅広部
２２  幅狭部                                ２３  発振周波数調整部材
２３Ａ  コイル部                          ２３Ｂ  チップコンデンサ
２３Ｃ  第１発振周波数調整部材            ２３Ｄ  第２発振周波数調整部材
２４  胴部                                  ２５  継手
２５Ａ  継手胴部                          ２５Ｂ  延出部
２５Ｃ  圧入部                            ２５Ｄ  貫通孔
３０  ノック機構                            ３１  回転子
３２  操作部                                ３３  ノック棒
３４  ノック突起                            ３５  接続突起
３６  スプリング支持端                      ３７  ノックスプリング
４０  電磁誘導リフィル                    ４０Ａ  第１電磁誘導リフィル
４０Ｂ  第２電磁誘導リフィル                ４１  収容筒
４２  コアホルダー                          ４３  フェライトコア
４４  先端継手                              ４５  接触先端
４６  電磁誘導コイル                        ４７  感圧センサ
４８  コンデンサ                            ４９  後端継手
５０  挿入部                                ５１  リターンスプリング
６０  キャップ部材                          ６１  支持孔
６２  ガイド筒                              ６３  支持突条
６４  棒部材                                ６５  接続部
６６  クリップ                            ６６Ａ  挟持部
６７  スプリング支持端
６８  支持筒                                ６９  ノックスプリング
７０  係止部材                              ７１  本体部
７２  内方段部                              ７３  係止部材雌ネジ
８０  機能部材                              ８１  半球部
８２  円盤部
９０  中継筒                                ９１  中継筒胴部  
９２  連結部                                ９３  中継筒雄ネジ  
９４  中継筒雌ネジ
１００  入力装置                          １０２  入力面
１１０  繰出機構
１２０  ガイド筒                          １２１  ガイド筒雄ネジ  
１２２  ガイド溝
１３０  摺動コマ                        １３０Ａ  第１摺動コマ
１３０Ｂ  第２摺動コマ                  １３０Ｃ  第３摺動コマ
１３１  摺動部  
１３２  装着部                            １３３  突起部
１４０  円筒カム                          １４１  円筒部  
１４２  カム溝                            １４３  円筒カム雌ネジ  
１４４  ガイド部                          １４５  頂部  
１４６  嵌合部                            １４７  底部
１５０  ホルダー                          １５１  ホルダー先端部  
１５２  ホルダーフランジ                  １５３  ホルダー後端部  
１５４  ホルダー雄ネジ                    １５５  ホルダー雄ネジ
１６０  保護部材                          １６１  保護部材胴部  
１６２  保護部材テーパ部                  １６３  内筒  
１６４  外筒                              １６５  リブ
１６６  通気孔                            １６７  塞部
１６８  受容孔                            １７０  尾栓
【図１】
2019207673.tif 000003
【図２】
2019207673.tif 000004
【図３】
2019207673.tif 000005
【図４】
2019207673.tif 000006
【図５】
2019207673.tif 000007
【図６】
2019207673.tif 000008
【図７】
2019207673.tif 000009
【図８】
2019207673.tif 000010
【図９】
2019207673.tif 000011
【図１０】
2019207673.tif 000012
【図１１】
2019207673.tif 000013
【図１２】
2019207673.tif 000014
【図１３】
2019207673.tif 000015
【図１４】
2019207673.tif 000016
【図１５】
2019207673.tif 000017
【図１６】
2019207673.tif 000018
【図１７】
2019207673.tif 000019
【図１８】
2019207673.tif 000020